(57)【特許請求の範囲】
【請求項１】
筐体と、
前記筐体の外部から内部に紙幣を投入するための投入口と、
前記筐体内に設けられ、前記投入口に接続され、当該筐体内で紙幣を１枚ずつ搬送する搬送部と、
前記搬送部に設けられ、当該搬送部で搬送される紙幣を１枚ずつ識別する識別部と、
前記筐体内に設けられ、前記搬送部に接続され、当該搬送部から送られた紙幣を収納するとともに収納された紙幣を１枚ずつ前記搬送部に繰り出す収納部と、
前記搬送部に接続され、当該搬送部から送られた紙幣が集積される一時集積部と、
前記一時集積部から紙幣の束が送られ、この送られた紙幣の束を帯封して帯封紙幣を形成する帯封部と、
前記搬送部および前記収納部の制御を行う制御部であって、紙幣の整理処理を行う際に、前記投入口により前記筐体の内部に投入された紙幣を前記識別部で識別した後に計数して前記収納部に収納させた後、前記収納部に収納された紙幣の計数値に基づいて前記帯封部により帯封される紙幣の枚数を算出し、この算出された枚数分の紙幣について、前記収納部から前記搬送部に紙幣を１枚ずつ繰り出させ、前記搬送部から前記一時集積部に紙幣を搬送し、前記一時集積部において集積された紙幣の枚数が所定枚数に達する度に前記帯封部により前記所定枚数の紙幣の束を帯封させ、帯封される紙幣を搬送した後の残りの紙幣について、前記収納部から前記搬送部に紙幣を１枚ずつ繰り出させ、前記筐体の外部からアクセス可能な箇所に搬送するよう制御を行う制御部と、
を備えたことを特徴とする紙幣処理装置。
【請求項２】
筐体と、
前記筐体の外部から内部に紙幣を投入するための投入口と、
前記筐体内に設けられ、前記投入口に接続され、当該筐体内で紙幣を１枚ずつ搬送する搬送部と、
前記搬送部に設けられ、当該搬送部で搬送される紙幣を１枚ずつ識別する識別部と、
前記筐体内に設けられ、前記搬送部に接続され、当該搬送部から送られた紙幣を収納するとともに収納された紙幣を１枚ずつ前記搬送部に繰り出す収納部と、
前記搬送部に接続され、当該搬送部から送られた紙幣が集積される一時集積部と、
前記一時集積部から紙幣の束が送られ、この送られた紙幣の束を帯封して帯封紙幣を形成する帯封部と、
前記搬送部および前記収納部の制御を行う制御部であって、紙幣の整理処理を行う際に、前記投入口により前記筐体の内部に投入された紙幣を前記識別部で識別した後に前記収納部に収納させた後、前記収納部から前記搬送部に紙幣を１枚ずつ繰り出させ、前記一時集積部に集積されている紙幣の枚数と前記収納部に収納されている紙幣の枚数の合計値が所定枚数以上であるときに前記収納部から繰り出された紙幣を前記一時集積部に搬送し、前記一時集積部において集積された紙幣の枚数が所定枚数に達する度に前記帯封部により前記所定枚数の紙幣の束を帯封させ、前記一時集積部に集積されている紙幣の枚数と前記収納部に収納されている紙幣の枚数の合計値が前記所定枚数よりも少ないときに、前記収納部から繰り出された紙幣を、前記筐体の外部からアクセス可能な箇所に搬送するよう制御を行う制御部と、
を備えたことを特徴とする紙幣処理装置。
【請求項３】
前記筐体の外部からアクセス可能な箇所は前記投入口であることを特徴とする請求項１または２のいずれかに記載の紙幣処理装置。
【請求項４】
前記搬送部には、紙幣の整理処理を行う際にバラ紙幣を前記筐体の外部に投出するための投出口が接続されており、
前記筐体の外部からアクセス可能な箇所は前記投出口であることを特徴とする請求項１または２のいずれかに記載の紙幣処理装置。
【請求項５】
前記搬送部には、前記識別部により正常な紙幣であると識別された紙幣以外の紙幣であるリジェクト紙幣が搬送され、前記筐体の外部からこのリジェクト紙幣を取り出すことができるようになっているようなリジェクト口が接続されており、
前記筐体の外部からアクセス可能な箇所は前記リジェクト口であることを特徴とする請求項１または２のいずれかに記載の紙幣処理装置。
【請求項６】
前記制御部は、帯封される紙幣を搬送した後の残りの紙幣についても前記一時集積部に搬送させ、前記帯封部により前記所定枚数よりも少ない枚数の紙幣の帯封を行わせるような小枚数帯封処理を選択的に行うことができるようになっていることを特徴とする請求項１記載の紙幣処理装置。
【請求項７】
前記制御部は、前記一時集積部に集積されている紙幣の枚数と前記収納部に収納されている紙幣の枚数の合計値が前記所定枚数よりも少なくなった場合でも前記収納部から前記搬送部に繰り出された紙幣を前記一時集積部に搬送させ、前記帯封部により前記所定枚数よりも少ない枚数の紙幣の帯封を行わせるような小枚数帯封処理を選択的に行うことができるようになっていることを特徴とする請求項２記載の紙幣処理装置。
【請求項８】
前記制御部には、操作者が前記制御部に指示を送るための操作部が接続されており、前記操作部により、前記小枚数帯封処理を行うか否かを選択することができるようになっていることを特徴とする請求項６または７のいずれかに記載の紙幣処理装置。
【請求項９】
前記帯封部は、前記小枚数帯封処理を行う場合に、帯封紙幣の帯封紙に帯封枚数を印字するようになっていることを特徴とする請求項６乃至８のいずれか一項に記載の紙幣処理装置。
【発明の詳細な説明】
【技術分野】
【０００１】
本発明は、紙幣をその金種や正損等で分類したり、それらを帯封したりするための紙幣処理装置に関し、とりわけ、所定枚数（例えば１００枚）の紙幣の束を帯封して帯封紙幣を形成し、帯封紙幣を出金することができるような紙幣処理装置に関する。
【背景技術】
【０００２】
従来から、紙幣をその金種や正損等で分類したり、それらを帯封したりするための紙幣処理装置において、所定枚数（例えば１００枚）の紙幣の束を帯封して帯封紙幣を形成し、帯封紙幣を出金するようなものが知られている（例えば、特許文献１参照）。
【０００３】
特許文献１に示すような紙幣処理機においては、紙幣の束を帯封する際に、まずバラ紙幣を集積部に一時的に集積し、この集積部において１００枚の紙幣（バラ紙幣）が集積された時点で、集積された紙幣の束を昇降ユニットによって帯封部まで搬送し、帯封部で紙幣の束の帯封を行うようになっている。また、この紙幣処理機においては、帯封されるべき枚数（具体的には、例えば１００の倍数の枚数）の紙幣が全て帯封された際に、集積部に端数（１００枚未満）の紙幣が残っていた場合、集積部に残った端数の紙幣は昇降ユニットによって端数紙幣返却部まで搬送され、操作者が端数紙幣返却部から端数の紙幣を取り出すことができるようになっている。より具体的に説明すると、例えば４５０枚の紙幣を出金する場合には、集積部に紙幣が１枚ずつ送られ、集積部に集積された紙幣の枚数が１００枚に達する度に集積部にある１００枚の紙幣の束が昇降ユニットにより帯封部まで搬送され、帯封部で１００枚の紙幣の束の帯封処理が行われる。このようにして４つの帯封紙幣が形成され、これらの帯封紙幣は出金される。一方、集積部に最後に送られた５０枚の紙幣は、端数の紙幣として昇降ユニットによって端数紙幣返却部まで搬送され、操作者が端数紙幣返却部から５０枚のバラ紙幣を取り出すこととなる。
【先行技術文献】
【特許文献】
【０００４】
【特許文献１】特開２００６−１０７０２９号公報
【発明の概要】
【発明が解決しようとする課題】
【０００５】
しかしながら、特許文献１等に示すような従来の紙幣処理装置では、端数の紙幣を返却するために昇降ユニットが必要となり、装置が大型化してしまうという問題がある。また、全ての紙幣を一旦集積部に送った後に、集積部に残った端数の紙幣を返却するという処理を行っているため、上述のような紙幣の整理処理における処理時間が長くなってしまうという問題がある。
【０００６】
また、他の構成の紙幣処理装置としては、集積部自体を筐体から引き出すことができるようになっており、集積部に端数の紙幣が残った場合には集積部を筐体から引き出すことにより端数の紙幣を操作者が取り出すことができるようになっているようなものが知られている。しかしながら、このような紙幣処理装置では、概して集積部は筐体の奥まった位置にあることが多く、筐体から集積部を容易に引き出すことができないという問題がある。
【０００７】
本発明は、このような点を考慮してなされたものであり、紙幣の整理処理を行う場合、収納部に収納されている紙幣の枚数を予め計数しておき、その後、収納部内の紙幣の枚数が減少して所定枚数（例えば１００枚）の紙幣の帯封処理を行うことができなくなることがわかったときに、収納部から搬送部に繰り出された紙幣の搬送先を、筐体の外部からアクセス可能な箇所に変えることにより、紙幣の帯封処理を行う際における端数の紙幣を一時集積部に送る必要がなくなり、このため操作者が端数の紙幣を容易に取り出すことができるようになるとともに、紙幣の整理処理における処理時間を短くすることができる紙幣処理装置を提供することを目的とする。
【課題を解決するための手段】
【０００８】
本発明は、筐体と、前記筐体の外部から内部に紙幣を投入するための投入口と、前記筐体内に設けられ、前記投入口に接続され、当該筐体内で紙幣を１枚ずつ搬送する搬送部と、前記搬送部に設けられ、当該搬送部で搬送される紙幣を１枚ずつ識別する識別部と、前記筐体内に設けられ、前記搬送部に接続され、当該搬送部から送られた紙幣を収納するとともに収納された紙幣を１枚ずつ前記搬送部に繰り出す収納部と、前記搬送部に接続され、当該搬送部から送られた紙幣が集積される一時集積部と、前記一時集積部から紙幣の束が送られ、この送られた紙幣の束を帯封して帯封紙幣を形成する帯封部と、前記搬送部および前記収納部の制御を行う制御部であって、紙幣の整理処理を行う際に、前記投入口により前記筐体の内部に投入された紙幣を前記識別部で識別した後に計数して前記収納部に収納させた後、前記収納部に収納された紙幣の計数値に基づいて前記帯封部により帯封される紙幣の枚数を算出し、この算出された枚数分の紙幣について、前記収納部から前記搬送部に紙幣を１枚ずつ繰り出させ、前記搬送部から前記一時集積部に紙幣を搬送し、前記一時集積部において集積された紙幣の枚数が所定枚数に達する度に前記帯封部により前記所定枚数の紙幣の束を帯封させ、帯封される紙幣を搬送した後の残りの紙幣について、前記収納部から前記搬送部に紙幣を１枚ずつ繰り出させ、前記筐体の外部からアクセス可能な箇所に搬送するよう制御を行う制御部と、を備えたことを特徴とする紙幣処理装置である。
【０００９】
このような紙幣処理装置によれば、紙幣の整理処理を行う際に、収納部に収納される紙幣の枚数を計数することができる。そして、紙幣を一時集積部に集積する際に、まず、収納部に収納された紙幣の計数値に基づいて帯封部により帯封される紙幣の枚数を算出する。そして、この算出された枚数分の紙幣について一時集積部に搬送し、帯封部により紙幣の束の帯封を行う。一方、帯封される紙幣を搬送した後の残りの紙幣について、筐体の外部からアクセス可能な箇所に搬送する。このように、帯封部により帯封される紙幣を搬送した後の残りの紙幣については、紙幣の搬送先を、一時集積部ではなく筐体の外部からアクセス可能な箇所とすることにより、紙幣の帯封処理を行う際における端数の紙幣を一時集積部に送る必要がなくなる。このように、端数の紙幣は、筐体の外部からアクセス可能な箇所に搬送されるようになるので、操作者が端数の紙幣を容易に取り出すことができるようになる。また、端数の紙幣は一時集積部に送られないので、紙幣の整理処理における処理時間を短くすることができる。
【００１０】
本発明は、筐体と、前記筐体の外部から内部に紙幣を投入するための投入口と、前記筐体内に設けられ、前記投入口に接続され、当該筐体内で紙幣を１枚ずつ搬送する搬送部と、前記搬送部に設けられ、当該搬送部で搬送される紙幣を１枚ずつ識別する識別部と、前記筐体内に設けられ、前記搬送部に接続され、当該搬送部から送られた紙幣を収納するとともに収納された紙幣を１枚ずつ前記搬送部に繰り出す収納部と、前記搬送部に接続され、当該搬送部から送られた紙幣が集積される一時集積部と、前記一時集積部から紙幣の束が送られ、この送られた紙幣の束を帯封して帯封紙幣を形成する帯封部と、前記搬送部および前記収納部の制御を行う制御部であって、紙幣の整理処理を行う際に、前記投入口により前記筐体の内部に投入された紙幣を前記識別部で識別した後に前記収納部に収納させた後、前記収納部から前記搬送部に紙幣を１枚ずつ繰り出させ、前記搬送部から前記一時集積部に紙幣を搬送し、前記一時集積部において集積された紙幣の枚数が所定枚数に達する度に前記帯封部により前記所定枚数の紙幣の束を帯封させ、前記帯封部により紙幣の帯封処理を行った後に前記収納部に収納されている紙幣の枚数が前記所定枚数よりも少なくなったときに、前記収納部から前記搬送部に繰り出された紙幣の搬送先を、前記筐体の外部からアクセス可能な箇所に変えるよう制御を行う制御部と、を備えたことを特徴とする紙幣処理装置である。
【００１１】
このような紙幣処理装置によれば、紙幣の整理処理を行う際に、収納部に収納される紙幣の枚数を計数することができる。そして、紙幣を一時集積部に集積する際に、予め計数された、収納部に収納されている紙幣の枚数に基づいて、帯封部により所定枚数の紙幣の帯封処理を行った後に収納部に収納されている紙幣の枚数が所定枚数以上であるか否かを制御部により判断することができるようになる。そして、帯封部により所定枚数の紙幣の帯封処理を行った後に収納部に収納されている紙幣の枚数が所定枚数より少なくなったときに、紙幣の搬送先を、筐体の外部からアクセス可能な箇所に変えることにより、紙幣の帯封処理を行う際における端数の紙幣を一時集積部に送る必要がなくなる。このように、端数の紙幣は、筐体の外部からアクセス可能な箇所に搬送されるようになるので、操作者が端数の紙幣を容易に取り出すことができるようになる。また、端数の紙幣は一時集積部に送られないので、紙幣の整理処理における処理時間を短くすることができる。
【００１２】
本発明は、筐体と、前記筐体の外部から内部に紙幣を投入するための投入口と、前記筐体内に設けられ、前記投入口に接続され、当該筐体内で紙幣を１枚ずつ搬送する搬送部と、前記搬送部に設けられ、当該搬送部で搬送される紙幣を１枚ずつ識別する識別部と、前記筐体内に設けられ、前記搬送部に接続され、当該搬送部から送られた紙幣を収納するとともに収納された紙幣を１枚ずつ前記搬送部に繰り出す収納部と、前記搬送部に接続され、当該搬送部から送られた紙幣が集積される一時集積部と、前記一時集積部から紙幣の束が送られ、この送られた紙幣の束を帯封して帯封紙幣を形成する帯封部と、前記搬送部および前記収納部の制御を行う制御部であって、紙幣の整理処理を行う際に、前記投入口により前記筐体の内部に投入された紙幣を前記識別部で識別した後に前記収納部に収納させた後、前記収納部から前記搬送部に紙幣を１枚ずつ繰り出させ、前記一時集積部に集積されている紙幣の枚数と前記収納部に収納されている紙幣の枚数の合計値が所定枚数以上であるときに前記収納部から繰り出された紙幣を前記一時集積部に搬送し、前記一時集積部において集積された紙幣の枚数が所定枚数に達する度に前記帯封部により前記所定枚数の紙幣の束を帯封させ、前記一時集積部に集積されている紙幣の枚数と前記収納部に収納されている紙幣の枚数の合計値が前記所定枚数よりも少ないときに、前記収納部から繰り出された紙幣を、前記筐体の外部からアクセス可能な箇所に搬送するよう制御を行う制御部と、を備えたことを特徴とする紙幣処理装置である。
【００１３】
このような紙幣処理装置によれば、紙幣の整理処理を行う際に、収納部に収納される紙幣の枚数を計数することができる。そして、紙幣を一時集積部に集積する際に、予め計数された、収納部に収納されている紙幣の枚数に基づいて、一時集積部に集積されている紙幣の枚数と収納部に収納されている紙幣の枚数の合計値が所定枚数以上であるか否かを制御部により判断することができるようになる。そして、一時集積部に集積されている紙幣の枚数と収納部に収納されている紙幣の枚数の合計値が所定枚数より少なくなったときに、紙幣の搬送先を、筐体の外部からアクセス可能な箇所に変えることにより、紙幣の帯封処理を行う際における端数の紙幣を一時集積部に送る必要がなくなる。このように、端数の紙幣は、筐体の外部からアクセス可能な箇所に搬送されるようになるので、操作者が端数の紙幣を容易に取り出すことができるようになる。また、端数の紙幣は一時集積部に送られないので、紙幣の整理処理における処理時間を短くすることができる。
【００１４】
本発明の紙幣処理装置においては、前記筐体の外部からアクセス可能な箇所は前記投入口であってもよい。
【００１５】
あるいは、前記搬送部には、紙幣の整理処理を行う際にバラ紙幣を前記筐体の外部に投出するための投出口が接続されており、前記筐体の外部からアクセス可能な箇所は前記投出口であってもよい。
【００１６】
あるいは、前記搬送部には、前記識別部により正常な紙幣であると識別された紙幣以外の紙幣であるリジェクト紙幣が搬送され、前記筐体の外部からこのリジェクト紙幣を取り出すことができるようになっているようなリジェクト口が接続されており、前記筐体の外部からアクセス可能な箇所は前記リジェクト口であってもよい。
【００１７】
本発明の紙幣処理装置においては、前記搬送部において、前記一時集積部と前記筐体の外部からアクセス可能な箇所とが分岐している分岐箇所には分岐部材が設けられており、前記収納部から前記搬送部に繰り出させた紙幣の搬送先は、前記分岐部材により前記一時集積部と前記筐体の外部からアクセス可能な箇所との間で切り替えられるようになっていてもよい。
【００１８】
本発明の紙幣処理装置においては、前記制御部は、帯封される紙幣を搬送した後の残りの紙幣についても前記一時集積部に搬送させ、前記帯封部により前記所定枚数よりも少ない枚数の紙幣の帯封を行わせるような小枚数帯封処理を選択的に行うことができるようになっていてもよい。
【００１９】
また、本発明の紙幣処理装置においては、前記制御部は、前記一時集積部に集積されている紙幣の枚数と前記収納部に収納されている紙幣の枚数の合計値が前記所定枚数よりも少なくなった場合でも前記収納部から前記搬送部に繰り出された紙幣を前記一時集積部に搬送させ、前記帯封部により前記所定枚数よりも少ない枚数の紙幣の帯封を行わせるような小枚数帯封処理を選択的に行うことができるようになっていてもよい。
【００２０】
また、本発明の紙幣処理装置においては、前記制御部は、前記帯封部により前記所定枚数の紙幣の帯封処理を行った後に前記収納部に収納されている紙幣の枚数が前記所定枚数よりも少なくなった場合でも前記収納部から前記搬送部に繰り出された紙幣を前記一時集積部に搬送させ、前記帯封部により前記所定枚数よりも少ない枚数の紙幣の帯封を行わせるような小枚数帯封処理を選択的に行うことができるようになっていてもよい。
【００２１】
上述のような紙幣処理装置においては、前記制御部には、操作者が前記制御部に指示を送るための操作部が接続されており、前記操作部により、前記小枚数帯封処理を行うか否かを選択することができるようになっていてもよい。
【００２２】
また、前記帯封部は、前記小枚数帯封処理を行う場合に、帯封紙幣の帯封紙に帯封枚数を印字するようになっていてもよい。
【発明の効果】
【００２３】
本発明の紙幣処理装置によれば、紙幣の帯封処理を行う際における端数の紙幣を操作者が容易に取り出すことができるようになるとともに、紙幣の整理処理における処理時間を短くすることができる。
【図面の簡単な説明】
【００２４】
【図１】本発明の一の実施の形態における紙幣処理装置の内部の構成を示す構成図である。
【図２】図１に示す紙幣処理装置の制御ブロック図である。
【図３】図１および図２に示す紙幣処理装置における、紙幣の整理処理モードにおける入金処理を行う際の動作を示すフローチャートである。
【図４】図３に示す紙幣の整理処理モードにおける入金処理を行う際の紙幣の流れを示す説明図である。
【図５】図１および図２に示す紙幣処理装置における、紙幣の整理処理モードにおける出金処理を行う際の動作を示すフローチャートである。
【図６】図５に示す紙幣の整理処理モードにおける出金処理を行う際の紙幣の流れを示す説明図である。
【図７】図１および図２に示す紙幣処理装置における、紙幣の整理処理モードにおける出金処理を行う際の他の動作を示すフローチャートである。
【図８】図１および図２に示す紙幣処理装置における、紙幣の整理処理モードにおける出金処理を行う際の更に他の動作を示すフローチャートである。
【発明を実施するための形態】
【００２５】
以下、図面を参照して本発明の一の実施の形態について説明する。図１乃至図６は、本実施の形態に係る紙幣処理装置を示す図である。このうち、図１は、本実施の形態における紙幣処理装置の内部の構成を示す構成図であり、図２は、図１に示す紙幣処理装置の制御ブロック図である。また、図３および図４は、紙幣の整理処理モードにおける入金処理を行う際の動作を示すフローチャートおよび紙幣の流れを示す説明図である。また、図５および図６は、紙幣の整理処理モードにおける出金処理を行う際の動作を示すフローチャートおよび紙幣の流れを示す説明図である。
【００２６】
まず、図１により、本実施の形態の紙幣処理装置１０の全体的な構成について説明する。図１に示すように、紙幣処理装置１０は略直方体形状の筐体１２を備えており、この筐体１２の前面には、当該筐体１２の外部から内部に紙幣を投入するための投入口１４が設けられている。また、投入口１４は、筐体１２の内部から外部に紙幣を投出するための投出口としても機能するようになっている。すなわち、投入口１４は、操作者がこの投入口１４に紙幣を投入したりこの投入口１４から紙幣を取り出したりすることができるよう構成されている。より具体的には、図１に示すように投入口１４は鉛直方向に対して斜めに傾斜しており、この投入口１４には紙幣が積層状態で斜めに傾斜して投入されるようになっている。図１において、投入口１４に投入された紙幣を参照符号Ｐで示す。
【００２７】
投入口１４には紙幣繰出機構１４ａが設けられており、この紙幣繰出機構１４ａにより投入口１４に集積された紙幣が１枚ずつ筐体１２の内部に繰り出されるようになっている。また、紙幣の出金処理を行う際には、筐体１２の内部に設けられた搬送部１６（後述）から紙幣が１枚ずつ投入口１４に送られるようになっている。
【００２８】
また、投入口１４にはシャッター機構（図示せず）が設けられており、このシャッター機構により投入口１４の開閉が行われるようになっている。より具体的には、操作者が投入口１４に紙幣を投入したり投入口１４から紙幣を取り出したりする際には、シャッター機構が開いて投入口１４が筐体１２の外部に露出されるようになっている。一方、投入口１４に集積された紙幣が１枚ずつ紙幣繰出機構１４ａにより筐体１２の内部に繰り出されたり搬送部１６（後述）から投入口１４に紙幣が１枚ずつ送られたりする際には、シャッター機構が投入口１４を塞ぐようになっている。
【００２９】
図１に示すように、筐体１２の内部には、紙幣を１枚ずつ搬送するための搬送部１６が設けられている。搬送部１６には投入口１４が接続されており、投入口１４に集積され、紙幣繰出機構１４ａにより筐体１２の内部に繰り出された紙幣は、搬送部１６により搬送されるようになっている。また、搬送部１６における各分岐箇所には分岐部材２６、２６ａが設けられている。後述する制御部５０により各分岐部材２６、２６ａが制御されることによって、紙幣の搬送経路が決められるようになっている。
【００３０】
搬送部１６には識別部１８が設置されている。識別部１８は、搬送部１６で搬送される紙幣の金種や正損、真偽等を識別するようになっている。より具体的には、識別部１８は、例えば、投入口１４から筐体１２の内部に繰り出された紙幣の金種や正損、真偽等を識別するようになっている。
【００３１】
図１に示すように、筐体１２の前面には入金リジェクト口２０が設けられている。この入金リジェクト口２０は搬送部１６に接続されている。そして、紙幣繰出機構１４ａにより筐体１２の内部に繰り出された紙幣のうち、識別部１８により正常な紙幣であると識別された紙幣以外の紙幣は、リジェクト紙幣として搬送部１６により入金リジェクト口２０に送られるようになっている。より具体的には、識別部１８により偽券であると識別された紙幣や、識別部１８により識別することができなかった紙幣、あるいは斜行や重送等の搬送異常が検出された紙幣は、リジェクト紙幣として搬送部１６により入金リジェクト口２０に送られるようになっている。
【００３２】
また、筐体１２の内部には出金リジェクト部２２が設けられており、この出金リジェクト部２２は搬送部１６に接続されている。そして、紙幣の出金処理モードにおいて、後述する収納部３０から搬送部１６に繰り出された紙幣のうち、識別部１８により正常な紙幣であると識別された紙幣以外の紙幣（具体的には例えば斜行や重送等の搬送異常が検出された紙幣）は、搬送部１６により出金リジェクト部２２に送られるようになっている。
【００３３】
図１に示すように、筐体１２の下部には複数の収納部３０が収納されている。各収納部３０はそれぞれ搬送部１６に接続されており、搬送部１６から送られた紙幣を積層状態で収納するとともに、収納された紙幣を１枚ずつ搬送部１６に繰り出すようになっている。複数の収納部３０は、入金一時保留部３２、金種別収納部３４ａ〜３４ｃおよび金種混合収納部３６から構成されている。
【００３４】
複数の収納部３０のうち、入金一時保留部３２は、投入口１４により筐体１２の外部から内部に投入され、識別部１８により正常な紙幣であると識別された紙幣を一時的に保留するようになっている。そして、入金一時保留部３２により一時的に保留された紙幣は、操作者によって後述する操作部５２により紙幣の入金処理の確定がなされたときに、各金種別収納部３４ａ〜３４ｃや金種混合収納部３６に送られるようになっている。
【００３５】
各金種別収納部３４ａ〜３４ｃは、それぞれ、予め設定された特定の金種の紙幣を収納するようになっている。より具体的に説明すると、各金種別収納部３４ａ〜３４ｃにはそれぞれ対応する紙幣の金種が予め設定されており、この設定された金種のみの紙幣を各金種別収納部３４ａ〜３４ｃはそれぞれ収納するようになっている。
【００３６】
一方、金種混合収納部３６は、複数の金種の紙幣を混合して収納するようになっている。より具体的には、金種混合収納部３６には、各金種別収納部３４ａ〜３４ｃにおいて設定されている金種とは異なる金種の紙幣が収納されるようになっている。また、各金種別収納部３４ａ〜３４ｃがフル状態となったときには、この金種別収納部３４ａ〜３４ｃに対応する金種の紙幣が搬送部１６から金種混合収納部３６に送られ、この金種混合収納部３６に収納されるようになっている。
【００３７】
各収納部３０にはそれぞれ紙幣繰出機構３０ａが設けられており、各収納部３０に積層状態で収納された紙幣は紙幣繰出機構３０ａにより１枚ずつ搬送部１６に繰り出すことができるようになっている。
【００３８】
また、筐体１２の内部には一時集積部４０が設けられている。この一時集積部４０には搬送部１６が接続されており、搬送部１６から１枚ずつ送られた紙幣が一時集積部４０に積層状態で集積されるようになっている。また、一時集積部４０の近傍には帯封部４４が設けられており、帯封部４４は、一時集積部４０から送られた紙幣の束を帯封して帯封紙幣を形成するようになっている。より具体的には、一時集積部４０や帯封部４４の近傍には移動自在の搬送アーム４２が設けられており、搬送アーム４２は、一時集積部４０に集積された紙幣の束を帯封部４４に搬送するようになっている。
【００３９】
帯封部４４において、搬送アーム４２上にある紙幣の束に対して帯封紙が供給され、この紙幣の束が帯封紙で巻かれるようになっている。そして、帯封紙で巻かれた紙幣の束は、上下一対の札締め部材（図示せず）により上下方向から挟圧されるとともに、ヒータ（図示せず）により加熱させられる。このことにより、帯封紙によって紙幣の束の帯封処理（結束処理）が行われ、帯封紙幣が形成されることとなる。
【００４０】
また、帯封部４４には、帯封紙幣の帯封紙に対して印字を行うスタンプ４４ａが設けられている。前述のように帯封処理が行われた帯封紙幣はスタンプ４４ａに送られ、このスタンプ４４ａによって帯封紙幣の帯封紙に対して、銀行名や、正券か損券かを示す印等の印字が行われる。また、帯封部４４には、帯封紙に日付やシリアルナンバー等の印字を行うための印字部分４４ｂが設けられており、搬送アーム４２上にある紙幣の束に対して帯封紙を供給する際に、供給される前の帯封紙に対して印字部分４４ｂにより印字が行われるようになっている。
【００４１】
また、図１に示すように、筐体１２の前面には、帯封部４４により形成された帯封紙幣を筐体１２の内部から外部に投出するための帯封紙幣投出口４６が設けられている。帯封紙幣投出口４６には、帯封部４４から搬送アーム４２により帯封紙幣が送られるようになっており、帯封紙幣投出口４６には複数の帯封紙幣が積層状態で集積されるようになっている。そして、操作者は、帯封紙幣投出口４６に集積された帯封紙幣を筐体１２の外部から取り出すことができるようになっている。
【００４２】
帯封紙幣投出口４６にはシャッター機構（図示せず）が設けられており、このシャッター機構により帯封紙幣投出口４６の開閉が行われるようになっている。より具体的には、操作者が帯封紙幣投出口４６から帯封紙幣を取り出す際には、シャッター機構が開いて帯封紙幣投出口４６が筐体１２の外部に露出されるようになっている。一方、紙幣の入金処理モードや出金処理モードにおいては、シャッター機構が帯封紙幣投出口４６を塞ぐようになっている。
【００４３】
また、図１に示すように、紙幣処理装置１０の各構成要素の制御を行う制御部５０が筐体１２の内部に設けられている。制御部５０の構成について、図２を用いて説明する。
【００４４】
図２に示すように、制御部５０には、投入口１４に設けられた紙幣繰出機構１４ａ、搬送部１６、識別部１８、各収納部３０に設けられた紙幣繰出機構３０ａ、搬送部１６の各分岐箇所に設けられた分岐部材２６、２６ａ、投入口１４や帯封紙幣投出口４６に設けられたシャッター機構、搬送アーム４２、帯封部４４等が接続されている。また、制御部５０には、操作部５２、表示部５４、インターフェース５６が接続されている。ここで、識別部１８により識別された紙幣の識別情報は制御部５０に送られるようになっている。また、制御部５０は、紙幣繰出機構１４ａ、搬送部１６、紙幣繰出機構３０ａ、分岐部材２６、２６ａ、シャッター機構、搬送アーム４２および帯封部４４等に対してそれぞれ制御信号を送り、これらの構成要素の制御を行うようになっている。
【００４５】
操作部５２は、操作者が制御部５０に様々な指示を送るためのものであり、例えばキーボードや各種キー等により構成されている。また、表示部５４は、紙幣処理装置１０における様々な紙幣の処理状況、例えば各収納部３０に収納されている紙幣の金種毎の枚数等を表示するようになっている。これらの操作部５２および表示部５４は紙幣処理装置１０の筐体１２の前面や上面に設けられている。なお、操作部５２および表示部５４は一体のものとなっていてもよい。具体的には、例えば筐体１２の前面や上面にタッチパネルが設けられており、このタッチパネルに、紙幣処理装置１０における様々な紙幣の処理状況が表示されるとともに、タッチパネルに表示される各種キーを押下することにより操作者が制御部５０に様々な指示を送ることができるようになっていてもよい。
【００４６】
また、制御部５０は、インターフェース５６を介して、紙幣処理装置１０とは別の外部装置（例えば、上位装置）と情報の送受信を行うことができるようになっている。
【００４７】
次に、上述のような構成からなる紙幣処理装置１０の動作について説明する。紙幣処理装置１０による処理の内容としては、概して、顧客から預かった紙幣を入金する入金処理モード、顧客に紙幣を支払うために収納部３０から紙幣を出金する出金処理モード、紙幣の整理を行う整理処理モード等がある。なお、以下に示すような紙幣処理装置１０の動作は、制御部５０が紙幣処理装置１０の各構成要素を制御することにより行われる。
【００４８】
まず、顧客から預かった紙幣を入金、収納する入金処理モードについて説明する。
【００４９】
入金処理モードにおいて、まず、紙幣処理装置１０の投入口１４のシャッター機構を開き、操作者が紙幣を投入口１４に投入する。そして、シャッター機構を閉じると、投入口１４に投入された紙幣は紙幣繰出機構１４ａにより１枚ずつ搬送部１６に繰り出される。紙幣繰出機構１４ａにより搬送部１６に繰り出された紙幣は当該搬送部１６により搬送され、識別部１８によりその金種や正損、真偽等の識別が行われる。識別部１８により正常な紙幣であると識別された紙幣は、分岐部材２６により入金一時保留部３２に搬送される。入金一時保留部３２において、搬送部１６から送られた紙幣が積層状態で一時的に保留される。
【００５０】
一方、識別部１８により正常な紙幣であると識別された紙幣以外の紙幣は、すなわち、識別部１８により偽券であると識別された紙幣や、識別部１８により識別することができなかった紙幣、あるいは斜行や重送等の搬送異常が検出された紙幣は、リジェクト紙幣として搬送部１６により入金リジェクト口２０に送られ、この入金リジェクト口２０に集積される。そして、投入口１４から紙幣が全て筐体１２の内部に繰り出された後に、入金リジェクト口２０に集積されたリジェクト紙幣は操作者により取り出されることとなる。
【００５１】
上述のような動作は、投入口１４に投入された紙幣が全て筐体１２の内部に繰り出されるまで行われる。そして、投入口１４に投入された紙幣が全て筐体１２の内部に繰り出されると、表示部５４にこのことが表示される。そして、操作者が操作部５２により「入金確定」の指令を制御部５０に対して行うと、入金一時保留部３２から紙幣が１枚ずつ紙幣繰出機構３０ａにより繰り出され、この繰り出された紙幣はその金種に基づいて各金種別収納部３４ａ〜３４ｃに搬送され、これらの金種別収納部３４ａ〜３４ｃに収納される。一方、入金一時保留部３２から繰り出された紙幣について、その金種が、金種別収納部３４ａ〜３４ｃにおける金種と一致しない場合や、対応する金種の金種別収納部３４ａ〜３４ｃがフル状態である場合には、この紙幣は金種混合収納部３６に搬送され、この金種混合収納部３６に金種混合状態で収納される。このようにして、紙幣の入金処理モードが終了する。
【００５２】
また、操作者が操作部５２により「入金確定」の指令の代わりに「返却」の指令を制御部５０に対して行うと、入金一時保留部３２から紙幣が１枚ずつ紙幣繰出機構３０ａにより繰り出され、この繰り出された紙幣は投入口１４に戻される。そして、入金一時保留部３２から投入口１４に全ての紙幣が搬送された後に、この投入口１４に設けられたシャッター機構が開くことによって、投入口１４に戻された紙幣は操作者により取り出されることとなる。
【００５３】
次に、顧客に紙幣を支払うために収納部３０から紙幣を出金する出金処理モードについて説明する。
【００５４】
出金処理モードにおいて、操作者が操作部５２により制御部５０に対して紙幣の出金処理の指令を与えると、収納部３０の各金種別収納部３４ａ〜３４ｃや金種混合収納部３６から紙幣が１枚ずつ紙幣繰出機構３０ａにより搬送部１６に繰り出され、繰り出された紙幣は識別部１８により識別される。ここで、識別部１８により識別された紙幣が正常な紙幣である場合には、この紙幣は搬送部１６により投入口１４に搬送され、投入口１４に集積される。前述のように、投入口１４は、筐体１２の内部から外部に紙幣を投出するための投出口としても機能するようになっている。一方、識別部１８により識別された紙幣が、正常な紙幣以外の紙幣である場合には、この紙幣は搬送部１６により出金リジェクト部２２に搬送される。そして、各金種別収納部３４ａ〜３４ｃや金種混合収納部３６から、全ての紙幣または所定の合計金額の紙幣が繰り出されると、投入口１４に設けられたシャッター機構が開くことによって、投入口１４に集積された紙幣は操作者により出金紙幣として取り出される。このようにして、紙幣の出金処理モードが終了する。
【００５５】
次に、紙幣を整理する整理処理モードについて説明する。
【００５６】
まず、整理処理モードにおける入金処理について図３および図４を用いて説明する。図３は、図１および図２に示す紙幣処理装置１０における、紙幣の整理処理モードにおける入金処理を行う際の動作を示すフローチャートであり、図４は、図３に示す紙幣の整理処理モードにおける入金処理を行う際の紙幣の流れを示す説明図である。
【００５７】
紙幣の入金処理を行う際には、まず、紙幣処理装置１０の投入口１４のシャッター機構を開き、操作者が紙幣を投入口１４に投入する（図３のＳＴＥＰ１）。そして、シャッター機構を閉じると、投入口１４に投入された紙幣は紙幣繰出機構１４ａにより１枚ずつ搬送部１６に繰り出される（図３のＳＴＥＰ２）。紙幣繰出機構１４ａにより搬送部１６に繰り出された紙幣は当該搬送部１６により搬送され、識別部１８によりその金種や正損、真偽等の識別が行われる（図３のＳＴＥＰ３）。識別部１８により正常な紙幣であると識別された紙幣は（図３のＳＴＥＰ４の「ＹＥＳ」）、分岐部材２６、２６ａにより入金一時保留部３２に搬送される（図３のＳＴＥＰ５および図４の太線（図４の符号Ａ参照））。入金一時保留部３２において、搬送部１６から送られた紙幣が積層状態で一時的に保留される。
【００５８】
一方、識別部１８により正常な紙幣であると識別された紙幣以外の紙幣は、すなわち、識別部１８により偽券であると識別された紙幣や、識別部１８により識別することができなかった紙幣、あるいは斜行や重送等の搬送異常が検出された紙幣は（図３のＳＴＥＰ４の「ＮＯ」）、リジェクト紙幣として搬送部１６により入金リジェクト口２０に送られ（図３のＳＴＥＰ６および図４の点線（図４の符号Ｂ参照））、この入金リジェクト口２０に集積される。そして、紙幣の入金処理が終了した後に、入金リジェクト口２０に集積されたリジェクト紙幣は操作者により取り出されることとなる。
【００５９】
図３のＳＴＥＰ２〜ＳＴＥＰ６に示すような動作は、投入口１４に投入された紙幣が全て筐体１２の内部に繰り出されるまで行われる（図３のＳＴＥＰ７の「ＮＯ」）。そして、投入口１４に投入された紙幣が全て筐体１２の内部に繰り出されると（図３のＳＴＥＰ７の「ＹＥＳ」）、表示部５４にこのことが表示される。また、識別部１８による識別結果に基づいて、入金一時保留部３２に収納された紙幣の枚数が計数される。そして、操作者が操作部５２により「入金確定」の指令を制御部５０に対して行うと（図３のＳＴＥＰ８の「ＹＥＳ」）、入金一時保留部３２から紙幣が１枚ずつ紙幣繰出機構３０ａにより繰り出され、この繰り出された紙幣はその金種に基づいて各金種別収納部３４ａ〜３４ｃに搬送され、これらの金種別収納部３４ａ〜３４ｃに収納される。一方、入金一時保留部３２から繰り出された紙幣について、その金種が、金種別収納部３４ａ〜３４ｃにおける金種と一致しない場合や、対応する金種の金種別収納部３４ａ〜３４ｃがフル状態である場合には、この紙幣は金種混合収納部３６に搬送され、この金種混合収納部３６に金種混合状態で収納される（図３のＳＴＥＰ９）。このようにして、紙幣の整理処理モードにおける入金処理が終了する。
【００６０】
また、操作者が操作部５２により「入金確定」の指令の代わりに「返却」の指令を制御部５０に対して行うと（図３のＳＴＥＰ１０の「ＹＥＳ」）、入金一時保留部３２から紙幣が１枚ずつ紙幣繰出機構３０ａにより繰り出され、この繰り出された紙幣は投入口１４に戻される（図３のＳＴＥＰ１１）。そして、入金一時保留部３２から投入口１４に全ての紙幣が搬送された後に、この投入口１４に設けられたシャッター機構が開くことによって、投入口１４に戻された紙幣は操作者により取り出されることとなる。
【００６１】
上述のような実施の形態においては、投入口１４に投入された紙幣を入金一時保留部３２に収納するようにしたが、収納部３０のうち、空の状態のものであればどれを使用してもよい。
【００６２】
次に、紙幣処理装置１０における紙幣の整理処理モードのうち、出金処理について図５および図６を用いて説明する。図５は、図１および図２に示す紙幣処理装置１０における、紙幣の整理処理モードにおける出金処理を行う際の動作を示すフローチャートであり、図６は、図５に示す紙幣の整理処理モードにおける出金処理を行う際の紙幣の流れを示す説明図である。
【００６３】
以下に示す紙幣の出金処理においては、図３および図４を用いて前述した整理処理モードにおける入金処理で入金一時保留部３２に収納された紙幣を出金する場合について説明する。なお、各金種別収納部３４ａ〜３４ｃや金種混合収納部３６に収納された紙幣を出金する場合についても、以下に示すような入金一時保留部３２に収納された紙幣を出金する場合と同様の動作が行われる。
【００６４】
まず、制御部５０において、入金一時保留部３２に収納された紙幣の計数値に基づいて、帯封部４４により帯封される紙幣の枚数を算出する（図５のＳＴＥＰ１）。ここで、制御部５０には、帯封部４４において形成される帯封紙幣における紙幣の枚数が所定枚数として予め設定されている。具体的には、帯封部４４において例えば１００枚の紙幣が帯封されて帯封紙幣が形成される場合は、紙幣の所定枚数は１００枚となる。そして、入金一時保留部３２に収納された紙幣の計数値のうち前述の所定枚数の倍数の枚数の紙幣を、帯封部４４により帯封される紙幣の枚数とし、残りの紙幣を端数の紙幣とする。具体的には、入金一時保留部３２に収納された紙幣の計数値が例えば４５０枚であり、所定枚数が例えば１００枚である場合には、帯封部４４により帯封される紙幣の枚数は４００枚となる。
【００６５】
ここで、上述のように算出された、帯封部４４により帯封される紙幣の枚数が０である場合には、すなわち、入金一時保留部３２に収納された紙幣の計数値が所定枚数よりも小さい場合には（図５のＳＴＥＰ２の「ＹＥＳ」）、紙幣の帯封処理は行われない。この場合、後述するように、入金一時保留部３２から投入口１４に紙幣が送られるようになる（図５のＳＴＥＰ１１〜ＳＴＥＰ１３）。
【００６６】
一方、上述のように算出された、帯封部４４により帯封される紙幣の枚数が０ではない場合には（図５のＳＴＥＰ２の「ＮＯ」）、以下に示すような紙幣の帯封処理が行われる。具体的には、入金一時保留部３２から紙幣が１枚ずつ紙幣繰出機構３０ａにより繰り出され、繰り出された紙幣は識別部１８により識別される（図５のＳＴＥＰ３）。ここで、識別部１８により識別された紙幣が正常な紙幣である場合には（図５のＳＴＥＰ４の「ＹＥＳ」）、この紙幣は搬送部１６により一時集積部４０に搬送され（図５のＳＴＥＰ５および図６の太線（図６の符号Ａ参照））、一時集積部４０において積層状態で集積される。そして、一時集積部４０に集積された紙幣が所定枚数に達した場合には（図５のＳＴＥＰ６の「ＹＥＳ」）、搬送アーム４２により一時集積部４０から帯封部４４に紙幣の束を搬送し、帯封部４４において紙幣の束の帯封処理を行う（図５のＳＴＥＰ７）。このようにして帯封部４４で形成された帯封紙幣は搬送アーム４２により帯封紙幣投出口４６に搬送される。上述のような紙幣の帯封処理は、前述のように紙幣の計数値により算出された、帯封されるべき枚数分の紙幣が実際に全て帯封されるまで行われる（図５のＳＴＥＰ８の「ＮＯ」）。紙幣の計数値により算出された、帯封されるべき枚数分の紙幣が全て帯封された場合には（図５のＳＴＥＰ８の「ＹＥＳ」）、入金一時保留部３２に残った端数の紙幣については、後述するように一時集積部４０ではなく投入口１４に送られるようになる（図５のＳＴＥＰ１１〜ＳＴＥＰ１３）。
【００６７】
また、入金一時保留部３２から繰り出され、識別部１８により識別された紙幣が、正常な紙幣以外の紙幣である場合には、具体的には、例えば斜行や重送等の搬送異常が検出された紙幣である場合には（図５のＳＴＥＰ４の「ＮＯ」）、この紙幣は搬送部１６により入金リジェクト口２０に搬送される（図５のＳＴＥＰ９および図６の点線（図６の符号Ｂ参照））。この際に、制御部５０により、入金一時保留部３２に収納されている紙幣の枚数と、一時集積部４０に集積されている紙幣の枚数の合計値が、所定枚数以上であるか否かの判断が行われる（図５のＳＴＥＰ１０）。紙幣が入金リジェクト口２０に搬送されたとしても、入金一時保留部３２に収納されている紙幣の枚数と、一時集積部４０に集積されている紙幣の枚数の合計値が、所定枚数以上である場合には、入金一時保留部３２から一時集積部４０に紙幣を搬送するような動作が引き続き行われる（図５のＳＴＥＰ１０の「ＹＥＳ」）。一方、紙幣が入金リジェクト口２０に搬送されたことにより、入金一時保留部３２に収納されている紙幣の枚数と、一時集積部４０に集積されている紙幣の枚数の合計値が、所定枚数より小さくなってしまう場合には（図５のＳＴＥＰ１０の「ＮＯ」）、入金一時保留部３２から全ての紙幣を一時集積部４０に送ったとしても一時集積部４０に集積される紙幣の枚数は所定枚数に達しなくなり、帯封部４４で所定枚数の帯封紙幣を形成することができなくなる。このため、このような場合は、入金一時保留部３２から一時集積部４０に紙幣を搬送するような動作を停止し、後述するような、入金一時保留部３２から投入口１４に紙幣を搬送するような動作を代わりに行うこととなる（図５のＳＴＥＰ１１〜ＳＴＥＰ１３）。この場合、一時集積部４０には何枚かの紙幣が残ってしまうことになるが、投入口１４と入金リジェクト口２０に返却された紙幣を再度投入することにより、一時集積部４０に対して所定枚数に達するだけの正常な紙幣が搬送されれば、紙幣を帯封することが可能となる。
【００６８】
上述のような紙幣の帯封処理を行った後、残りの端数の紙幣について、入金一時保留部３２から投入口１４に紙幣を搬送するような動作を行うこととなる。具体的には、入金一時保留部３２から紙幣が１枚ずつ紙幣繰出機構３０ａにより繰り出され、繰り出された紙幣は識別部１８により識別される（図５のＳＴＥＰ１１）。そして、識別部１８により識別された紙幣が正常な紙幣である場合でも正常な紙幣ではない場合でも、識別された紙幣は搬送部１６により投入口１４に搬送され（図５のＳＴＥＰ１２および図６の点線（図６の符号Ｃ参照））、投入口１４に集積される。このような動作は、入金一時保留部３２から全ての紙幣が繰り出されるまで行われる（図５のＳＴＥＰ１３の「ＮＯ」）。入金一時保留部３２から全ての紙幣が繰り出されて投入口１４に搬送されたら（図５のＳＴＥＰ１３の「ＹＥＳ」）、紙幣の整理処理モードにおける出金処理が終了する。
【００６９】
以上のように本実施の形態の紙幣処理装置１０によれば、紙幣の整理処理モードを行う際に、投入口１４により筐体１２の内部に投入された紙幣を識別部１８で識別した後に計数して入金一時保留部３２等の収納部３０に収納させるようになっている。また、その後、収納部３０に収納された紙幣の計数値に基づいて帯封部４４により帯封される紙幣の枚数を算出し、この算出された枚数分の紙幣について、入金一時保留部３２等の収納部３０から搬送部１６に紙幣を１枚ずつ繰り出させ、搬送部１６から一時集積部４０に紙幣を搬送し、一時集積部４０において集積された紙幣の枚数が所定枚数に達する度に帯封部４４により所定枚数の紙幣の束を帯封させるようになっている。また、帯封部４４により帯封される紙幣の枚数を搬送した後の残りの紙幣について、入金一時保留部３２等の収納部３０から搬送部１６に紙幣を１枚ずつ繰り出させ、筐体１２の外部からアクセス可能な箇所、すなわち、投入口１４に搬送するようになっている。
【００７０】
このような紙幣処理装置１０によれば、紙幣の整理処理モードを行う際に、収納部３０に収納される紙幣の枚数を計数することができる。そして、紙幣を一時集積部４０に集積させる際に、まず、収納部３０に収納された紙幣の計数値に基づいて帯封部４４により帯封される紙幣の枚数を算出する。そして、この算出された枚数分の紙幣について一時集積部４０に搬送し、帯封部４４により紙幣の束の帯封を行う。一方、帯封部４４により帯封される紙幣が搬送された後の残りの紙幣について、筐体１２の外部からアクセス可能な箇所、具体的には投入口１４に搬送する。このように、帯封部４４により帯封される紙幣が搬送された後の残りの紙幣については、紙幣の搬送先を、一時集積部４０ではなく筐体１２の外部からアクセス可能な箇所とすることにより、紙幣の帯封処理を行う際における端数の紙幣を一時集積部４０に送る必要がなくなる。このように、端数の紙幣は、筐体１２の外部からアクセス可能な箇所（具体的には投入口１４）に搬送されるようになるので、操作者が端数の紙幣を容易に取り出すことができるようになる。また、端数の紙幣は一時集積部４０に送られないので、紙幣の整理処理モードにおける処理時間を短くすることができる。
【００７１】
また、本実施の形態の紙幣処理装置１０においては、搬送部１６において、一時集積部４０と、筐体１２の外部からアクセス可能な箇所（具体的には投入口１４）とが分岐している分岐箇所には分岐部材２６ａが設けられており、入金一時保留部３２等の収納部３０から搬送部１６に繰り出させた紙幣の搬送先は、分岐部材２６ａにより一時集積部４０と筐体１２の外部からアクセス可能な箇所（具体的には投入口１４）との間で切り替えられるようになっている。
【００７２】
なお、本実施の形態による紙幣処理装置は、上記の態様に限定されるものではなく、様々の変更を加えることができる。
【００７３】
紙幣の整理処理モードにおける出金処理としては、収納部３０に収納された紙幣の計数値に基づいて帯封部４４により帯封される紙幣の枚数を算出し、この算出された枚数分の紙幣について、収納部３０から一時集積部４０に紙幣を搬送し、帯封部４４により帯封される紙幣が搬送された後の残りの紙幣について、筐体１２の外部からアクセス可能な箇所に搬送するようなものに限定されることはない。図７を用いて紙幣の整理処理モードにおける出金処理の他の例について説明する。図７は、図１および図２に示す紙幣処理装置１０における、紙幣の整理処理モードにおける出金処理を行う際の他の動作を示すフローチャートである。
【００７４】
以下に示す紙幣の整理処理モードにおける出金処理においては、図３および図４を用いて前述した整理処理モードにおける入金処理で入金一時保留部３２に収納された紙幣を出金する場合について説明する。なお、各金種別収納部３４ａ〜３４ｃや金種混合収納部３６に収納された紙幣を出金する場合についても、以下に示すような入金一時保留部３２に収納された紙幣を出金する場合と同様の動作が行われる。
【００７５】
まず、制御部５０により、入金一時保留部３２に収納されている紙幣の枚数と、予め設定された紙幣の所定枚数とについてどちらが大きいかが判断される（図７のＳＴＥＰ１）。ここで、予め設定された紙幣の所定枚数とは、帯封部４４において形成される帯封紙幣における紙幣の枚数のことをいう。すなわち、帯封部４４において例えば１００枚の紙幣が帯封されて帯封紙幣が形成される場合は、紙幣の所定枚数は１００枚となる。
【００７６】
入金一時保留部３２に収納されている紙幣の枚数が、予め設定された紙幣の所定枚数以上である場合には（図７のＳＴＥＰ１の「ＹＥＳ」）、入金一時保留部３２から紙幣が１枚ずつ紙幣繰出機構３０ａにより繰り出され、繰り出された紙幣は識別部１８により識別される（図７のＳＴＥＰ２）。ここで、識別部１８により識別された紙幣が正常な紙幣である場合には（図７のＳＴＥＰ３の「ＹＥＳ」）、この紙幣は搬送部１６により一時集積部４０に搬送され（図７のＳＴＥＰ４および図６の太線（図６の符号Ａ参照））、一時集積部４０において積層状態で集積される。そして、一時集積部４０に集積された紙幣が所定枚数に達した場合には（図７のＳＴＥＰ５の「ＹＥＳ」）、搬送アーム４２により一時集積部４０から帯封部４４に紙幣の束を搬送し、帯封部４４において紙幣の束の帯封処理を行う（図７のＳＴＥＰ６）。このようにして帯封部４４で形成された帯封紙幣は搬送アーム４２により帯封紙幣投出口４６に搬送される。帯封部４４により紙幣の帯封処理を行った後、入金一時保留部３２から全ての紙幣が繰り出されたか否かの判断が制御部５０において行われる（図７のＳＴＥＰ７）。入金一時保留部３２から全ての紙幣が繰り出された場合には（図７のＳＴＥＰ７の「ＹＥＳ」）、紙幣の出金処理が終了する。一方、入金一時保留部３２に未だ紙幣が残っている場合には（図７のＳＴＥＰ７の「ＮＯ」）、図７のＳＴＥＰ１に示すように、制御部５０により、入金一時保留部３２に収納されている紙幣の枚数と、予め設定された紙幣の所定枚数とについてどちらが大きいかが再び判断される。
【００７７】
一方、入金一時保留部３２から繰り出され、識別部１８により識別された紙幣が、正常な紙幣以外の紙幣である場合には、具体的には、例えば斜行や重送等の搬送異常が検出された紙幣である場合には（図７のＳＴＥＰ３の「ＮＯ」）、この紙幣は搬送部１６により入金リジェクト口２０に搬送される（図７のＳＴＥＰ８および図６の点線（図６の符号Ｂ参照））。この際に、制御部５０により、入金一時保留部３２に収納されている紙幣の枚数と、一時集積部４０に集積されている紙幣の枚数の合計値が、所定枚数以上であるか否かの判断が行われる（図７のＳＴＥＰ９）。紙幣が入金リジェクト口２０に搬送されたとしても、入金一時保留部３２に収納されている紙幣の枚数と、一時集積部４０に集積されている紙幣の枚数の合計値が、所定枚数以上である場合には、入金一時保留部３２から一時集積部４０に紙幣を搬送するような動作が引き続き行われる（図７のＳＴＥＰ９の「ＹＥＳ」）。一方、紙幣が入金リジェクト口２０に搬送されたことにより、入金一時保留部３２に収納されている紙幣の枚数と、一時集積部４０に集積されている紙幣の枚数の合計値が、所定枚数より小さくなってしまう場合には（図７のＳＴＥＰ９の「ＮＯ」）、入金一時保留部３２から全ての紙幣を一時集積部４０に送ったとしても一時集積部４０に集積される紙幣の枚数は所定枚数に達しなくなり、帯封部４４で所定枚数の帯封紙幣を形成することができなくなる。このため、このような場合は、入金一時保留部３２から一時集積部４０に紙幣を搬送するような動作を停止し、後述するような、入金一時保留部３２から投入口１４に紙幣を搬送するような動作を代わりに行うこととなる（図７のＳＴＥＰ１０〜ＳＴＥＰ１２）。この場合、一時集積部４０には何枚かの紙幣が残ってしまうことになるが、投入口１４と入金リジェクト口２０に返却された紙幣を再度投入することにより、一時集積部４０に対して所定枚数に達するだけの正常な紙幣が搬送されれば、紙幣を帯封することが可能となる。
【００７８】
また、制御部５０により、入金一時保留部３２に収納されている紙幣の枚数と、予め設定された紙幣の所定枚数とについてどちらが大きいかを判断した際に、入金一時保留部３２に収納されている紙幣の枚数が、予め設定された紙幣の所定枚数よりも小さい場合には（図７のＳＴＥＰ１の「ＮＯ」）、入金一時保留部３２から全ての紙幣を一時集積部４０に送ったとしても、帯封部４４で所定枚数の帯封紙幣を形成することができない。このため、入金一時保留部３２から投入口１４に紙幣を搬送するような動作を代わりに行うこととなる。具体的には、入金一時保留部３２から紙幣が１枚ずつ紙幣繰出機構３０ａにより繰り出され、繰り出された紙幣は識別部１８により識別される（図７のＳＴＥＰ１０）。そして、識別部１８により識別された紙幣が正常な紙幣である場合でも正常な紙幣ではない場合でも、識別された紙幣は搬送部１６により投入口１４に搬送され（図７のＳＴＥＰ１１および図６の点線（図６の符号Ｃ参照））、投入口１４に集積される。このような動作は、入金一時保留部３２から全ての紙幣が繰り出されるまで行われる（図７のＳＴＥＰ１２の「ＮＯ」）。入金一時保留部３２から全ての紙幣が繰り出されて投入口１４に搬送されたら（図７のＳＴＥＰ１２の「ＹＥＳ」）、紙幣の整理処理モードにおける出金処理が終了する。
【００７９】
以上のように図７のフローチャートに示すような紙幣の整理処理モードにおける出金処理の変形例によれば、紙幣の整理処理モードを行う際に、投入口１４により筐体１２の内部に投入された紙幣を識別部１８で識別した後に入金一時保留部３２等の収納部３０に収納させるようになっている。また、その後、入金一時保留部３２等の収納部３０から搬送部１６に紙幣を１枚ずつ繰り出させ、搬送部１６から一時集積部４０に紙幣を所定枚数毎に搬送し、帯封部４４により所定枚数の紙幣の束を帯封させるようになっている。そして、紙幣を一時集積部４０に集積させる際に、帯封部４４により所定枚数の紙幣の帯封処理を行った後に収納部３０に収納されている紙幣の枚数が所定枚数よりも少なくなったときに、収納部３０から搬送部１６に繰り出された紙幣の搬送先を、筐体１２の外部からアクセス可能な箇所、すなわち投入口１４に変えるようになっている。
【００８０】
このような紙幣の整理処理モードにおける出金処理の変形例においても、紙幣の整理処理モードを行う際に、収納部３０に収納される紙幣の枚数を計数するようになっている。そして、紙幣を一時集積部４０に集積させる際に、予め計数された、収納部３０に収納されている紙幣の枚数に基づいて、帯封部４４により所定枚数の紙幣の帯封処理を行った後に収納部３０に収納されている紙幣の枚数が所定枚数以上であるか否かを制御部５０により判断することができるようになる。そして、帯封部４４により所定枚数の紙幣の帯封処理を行った後に収納部３０に収納されている紙幣の枚数が所定枚数より少なくなったときに、紙幣の搬送先を、筐体１２の外部からアクセス可能な箇所、具体的には投入口１４に変えることにより、紙幣の帯封処理を行う際における端数の紙幣（所定枚数よりも少ない枚数の紙幣）を一時集積部４０に送る必要がなくなる。このように、端数の紙幣は、筐体１２の外部からアクセス可能な箇所（具体的には投入口１４）に搬送されるようになるので、操作者が端数の紙幣を容易に取り出すことができるようになる。また、端数の紙幣は一時集積部４０に送られないので、紙幣の整理処理モードにおける処理時間を短くすることができる。
【００８１】
また、紙幣の整理処理モードにおける出金処理として、以下に示すような更に他の方法を用いてもよい。このような紙幣の整理処理モードにおける出金処理の更に他の例について、図８を用いて説明する。図８は、図１および図２に示す紙幣処理装置１０における、紙幣の整理処理モードにおける出金処理を行う際の更に他の動作を示すフローチャートである。
【００８２】
以下に示す紙幣の整理処理モードにおける出金処理においては、図３および図４を用いて前述した整理処理モードにおける入金処理で入金一時保留部３２に収納された紙幣を出金する場合について説明する。なお、各金種別収納部３４ａ〜３４ｃや金種混合収納部３６に収納された紙幣を出金する場合についても、以下に示すような入金一時保留部３２に収納された紙幣を出金する場合と同様の動作が行われる。
【００８３】
まず、制御部５０により、入金一時保留部３２に収納されている紙幣の枚数、および一時集積部４０に集積されている紙幣の枚数の合計値と、予め設定された紙幣の所定枚数とについてどちらが大きいかが判断される（図８のＳＴＥＰ１）。ここで、予め設定された紙幣の所定枚数とは、帯封部４４において形成される帯封紙幣における紙幣の枚数のことをいう。すなわち、帯封部４４において例えば１００枚の紙幣が帯封されて帯封紙幣が形成される場合は、紙幣の所定枚数は１００枚となる。
【００８４】
入金一時保留部３２に収納されている紙幣の枚数と一時集積部４０に集積されている紙幣の枚数の合計値が、予め設定された紙幣の所定枚数以上である場合には（図８のＳＴＥＰ１の「ＹＥＳ」）、入金一時保留部３２から紙幣が１枚ずつ紙幣繰出機構３０ａにより繰り出され、繰り出された紙幣は識別部１８により識別される（図８のＳＴＥＰ２）。ここで、識別部１８により識別された紙幣が正常な紙幣である場合には（図８のＳＴＥＰ３の「ＹＥＳ」）、この紙幣は搬送部１６により一時集積部４０に搬送され（図８のＳＴＥＰ４および図６の太線（図６の符号Ａ参照））、一時集積部４０において積層状態で集積される。そして、一時集積部４０に集積された紙幣が所定枚数に達した場合には（図８のＳＴＥＰ５の「ＹＥＳ」）、搬送アーム４２により一時集積部４０から帯封部４４に紙幣の束を搬送し、帯封部４４において紙幣の束の帯封処理を行う（図８のＳＴＥＰ６）。このようにして帯封部４４で形成された帯封紙幣は搬送アーム４２により帯封紙幣投出口４６に搬送される。一方、入金一時保留部３２から繰り出され、識別部１８により識別された紙幣が、正常な紙幣以外の紙幣である場合には、具体的には、例えば斜行や重送等の搬送異常が検出された紙幣である場合には（図８のＳＴＥＰ３の「ＮＯ」）、この紙幣は搬送部１６により入金リジェクト口２０に搬送される（図８のＳＴＥＰ７および図６の点線（図６の符号Ｂ参照））。
【００８５】
入金一時保留部３２から繰り出され、識別部１８により識別された紙幣が、一時集積部４０または入金リジェクト口２０に搬送された後、入金一時保留部３２から全ての紙幣が繰り出されたか否かの判断が制御部５０において行われる（図８のＳＴＥＰ８）。入金一時保留部３２から全ての紙幣が繰り出された場合には（図８のＳＴＥＰ８の「ＹＥＳ」）、紙幣の出金処理が終了する。一方、入金一時保留部３２に未だ紙幣が残っている場合には（図８のＳＴＥＰ８の「ＮＯ」）、図８のＳＴＥＰ１に示すように、制御部５０により、入金一時保留部３２に収納されている紙幣の枚数および一時集積部４０に集積されている紙幣の枚数の合計値と、予め設定された紙幣の所定枚数とについてどちらが大きいかが再び判断される。
【００８６】
制御部５０により、入金一時保留部３２に収納されている紙幣の枚数および一時集積部４０に集積されている紙幣の枚数の合計値と、予め設定された紙幣の所定枚数とについてどちらが大きいかを判断した際に、入金一時保留部３２に収納されている紙幣の枚数と、一時集積部４０に集積されている紙幣の枚数の合計値が、予め設定された紙幣の所定枚数よりも小さい場合には（図８のＳＴＥＰ１の「ＮＯ」）、入金一時保留部３２から全ての紙幣を一時集積部４０に送ったとしても、帯封部４４で所定枚数の帯封紙幣を形成することができない。このため、入金一時保留部３２から投入口１４に紙幣を搬送するような動作を代わりに行うこととなる。具体的には、入金一時保留部３２から紙幣が１枚ずつ紙幣繰出機構３０ａにより繰り出され、繰り出された紙幣は識別部１８により識別される（図８のＳＴＥＰ９）。そして、識別部１８により識別された紙幣が正常な紙幣である場合でも正常な紙幣ではない場合でも、識別された紙幣は搬送部１６により投入口１４に搬送され（図８のＳＴＥＰ１０および図６の点線（図６の符号Ｃ参照））、投入口１４に集積される。このような動作は、入金一時保留部３２から全ての紙幣が繰り出されるまで行われる（図８のＳＴＥＰ１１の「ＮＯ」）。入金一時保留部３２から全ての紙幣が繰り出されて投入口１４に搬送されたら（図８のＳＴＥＰ１１の「ＹＥＳ」）、紙幣の出金処理が終了する。なお、一時集積部４０に何枚かの紙幣が残ってしまう場合には、投入口１４と入金リジェクト口２０に返却された紙幣を再度投入することにより、一時集積部４０に対して所定枚数に達するだけの正常な紙幣が搬送されれば、紙幣を帯封することが可能となる。
【００８７】
以上のように、図８のフローチャートに示すような紙幣の整理処理モードにおける出金処理の変形例によれば、紙幣の整理処理モードを行う際に、投入口１４により筐体１２の内部に投入された紙幣を識別部１８で識別した後に入金一時保留部３２等の収納部３０に収納させるようになっている。また、その後、入金一時保留部３２等の収納部３０から搬送部１６に紙幣を１枚ずつ繰り出させ、一時集積部４０に集積されている紙幣の枚数と収納部３０に収納されている紙幣の枚数の合計値が所定枚数以上であるときに収納部３０から繰り出された紙幣を一時集積部４０に搬送し、一時集積部４０に集積されている紙幣の枚数と収納部３０に収納されている紙幣の枚数の合計値が所定枚数よりも少ないときに、収納部３０から繰り出された紙幣を、筐体１２の外部からアクセス可能な箇所、すなわち投入口１４に搬送するようになっている。
【００８８】
このような紙幣の整理処理モードにおける出金処理の変形例においても、紙幣の整理処理モードを行う際に、収納部３０に収納される紙幣の枚数を計数するようになっている。そして、紙幣を一時集積部４０に集積させる際に、予め計数された、収納部３０に収納されている紙幣の枚数に基づいて、一時集積部４０に集積されている紙幣の枚数と収納部３０に収納されている紙幣の枚数の合計値が所定枚数以上であるか否かを制御部５０により判断することができるようになる。そして、一時集積部４０に集積されている紙幣の枚数と収納部３０に収納されている紙幣の枚数の合計値が所定枚数より少なくなったときに、紙幣の搬送先を、筐体１２の外部からアクセス可能な箇所、具体的には投入口１４に変えることにより、紙幣の帯封処理を行う際における端数の紙幣（所定枚数よりも少ない枚数の紙幣）を一時集積部４０に送る必要がなくなる。このように、端数の紙幣は、筐体１２の外部からアクセス可能な箇所（具体的には投入口１４）に搬送されるようになるので、操作者が端数の紙幣を容易に取り出すことができるようになる。また、端数の紙幣は一時集積部４０に送られないので、紙幣の整理処理モードにおける処理時間を短くすることができる。
【００８９】
また、図１および図２に示す紙幣処理装置１０では、投入口１４は、紙幣を筐体１２の内部から外部に投出するための投出口の機能をも有しているが、このような例に限定されることはない。例えば、紙幣を出金する際にバラ紙幣を筐体１２の外部に投出するための投出口が投入口１４とは別に設けられていてもよい。この場合、紙幣の整理処理モードにおいて出金処理を行う際に、収納部３０から搬送部１６に繰り出された紙幣の搬送先は投入口１４ではなく前述の投出口となる。
【００９０】
また、筐体１２の外部からアクセス可能な箇所の更に他の例として、入金リジェクト口２０を用いてもよい。この場合、紙幣の整理処理モードにおいて出金処理を行う際に、収納部３０から搬送部１６に繰り出された紙幣の搬送先は投入口１４ではなく入金リジェクト口２０となる。
【００９１】
また、制御部５０は、上述のような制御を行うことに限定されることはない。例えば、制御部５０は、整理処理モードの際に、上述のような制御に加えて、以下に示すような小枚数帯封処理を選択的に行うことができるようになっていてもよい。ここで、小枚数帯封処理とは、図５のフローチャートに示すような処理を行う場合において、帯封部４４により帯封される紙幣が搬送された後の残りの紙幣についても一時集積部４０に搬送させ、帯封部４４により所定枚数よりも少ない枚数の紙幣の帯封を行わせるような処理のことをいう。また、図７のフローチャートに示すような処理を行う場合は、小枚数帯封処理とは、帯封部４４により所定枚数の紙幣の帯封処理を行った後に収納部３０に収納されている紙幣の枚数が所定枚数よりも少なくなった場合でも（図７のＳＴＥＰ１の「ＮＯ」）、収納部３０から搬送部１６に繰り出された紙幣を一時集積部４０に搬送させ、帯封部４４により所定枚数よりも少ない枚数の紙幣の帯封を行わせるような処理のことをいう。また、図８のフローチャートに示すような処理を行う場合は、小枚数帯封処理とは、一時集積部４０に集積されている紙幣の枚数と収納部３０に収納されている紙幣の枚数の合計値が所定枚数より少なくなった場合でも（図８のＳＴＥＰ１の「ＮＯ」）、収納部３０から搬送部１６に繰り出された紙幣を一時集積部４０に搬送させ、帯封部４４により所定枚数よりも少ない枚数の紙幣の帯封を行わせるような処理のことをいう。
【００９２】
具体的には、図５のフローチャートに示すような処理を行う場合において、入金一時保留部３２に収納された紙幣の計数値が例えば４５０枚であり、帯封部４４により帯封される紙幣の枚数が４００枚になると算出された場合でも、残りの５０枚の紙幣について、この５０枚の紙幣を全て一時集積部４０に搬送させ、搬送アーム４２により一時集積部４０から帯封部４４に５０枚の紙幣の束を搬送し、帯封部４４において５０枚の紙幣の束の帯封処理を行う。この際に、帯封部４４に設けられた印字部分４４ｂにより、５０枚の紙幣の束に送られる前の帯封紙に帯封枚数（すなわち、「５０枚」という文字）が印字される。このようにして、紙幣の枚数が５０枚であるような帯封紙幣が形成される。帯封部４４で形成された帯封紙幣は搬送アーム４２により帯封紙幣投出口４６に搬送される。
【００９３】
なお、前述のような小枚数帯封処理を行うか否かは、操作者が操作部５２により選択することができるようになっている。具体的には、例えば図５のフローチャートに示すような処理を行う場合において、入金一時保留部３２に収納された紙幣の枚数が計数された後、この紙幣の計数値が表示部５４に表示されるとともに、帯封部４４により帯封される紙幣の枚数および残りの端数の紙幣の枚数が表示部５４に表示される。そして、表示部５４には、操作者に対して小枚数帯封処理を行うか否かの選択を促すようなメッセージが表示される。そして、操作者が操作部５２により小枚数帯封処理を行うことを選択した場合には、上述のような小枚数帯封処理が行われる。一方、操作者が操作部５２により小枚数帯封処理を行わないことを選択した場合には、残りの端数の紙幣については投入口１４に送るような動作が行われることとなる。
【符号の説明】
【００９４】
１０  紙幣処理装置
１２  筐体
１４  投入口
１４ａ  紙幣繰出機構
１６  搬送部
１８  識別部
２０  入金リジェクト口
２２  出金リジェクト部
２６、２６ａ  分岐部材
３０  収納部
３０ａ  紙幣繰出機構
３２  入金一時保留部
３４ａ〜３４ｃ  金種別収納部
３６  金種混合収納部
４０  一時集積部
４２  搬送アーム
４４  帯封部
４４ａ  スタンプ
４４ｂ  印字部分
４６  帯封紙幣投出口
５０  制御部
５２  操作部
５４  表示部
５６  インターフェース
【図１】
0005474461.tif 000002
【図２】
0005474461.tif 000003
【図３】
0005474461.tif 000004
【図４】
0005474461.tif 000005
【図５】
0005474461.tif 000006
【図６】
0005474461.tif 000007
【図７】
0005474461.tif 000008
【図８】
0005474461.tif 000009